(57)【要約】【課題】軽量で、吊り下げ、持ち運び等に便利であり、構成も簡単で安価に製作できる表示パネルを提供することを目的とする。【解決手段】透明又は半透明の前面板１と、この前面板１の裏面側に表示物５を挟んで嵌着される透明又は半透明の背面板２を有している。背面板２は、一対の板面６，７の間に、縦方向に延びる補強リブ８が、背面板２の幅方向に間隔をあけて多数形成されている。また、前面板１の裏面側周囲には段縁部３が形成されており、該段縁部３の内側に前記背面板２が嵌着される。【選択図】図１
0003118474.tif 000002
【実用新案登録請求の範囲】
【請求項１】
透明又は半透明の前面板と、背面板の間に表示物を挟持させ、前記前面板を通して前記表示物を透視できるようにした表示パネルにおいて、
前記背面板は、板面と、該板面の補強リブを備えた構造であることを特徴とする表示パネル。
【請求項２】
前記背面板は、一対の板面間に、補強リブを介在させた構造であることを特徴とする請求項１に記載の表示パネル。
【請求項３】
前記背面板は、一対の板面間に、縦方向に延びる補強リブを、背面板の幅方向に間隔をあけて多数形成したものであることを特徴とする請求項１又は請求項２に記載の表示パネル。
【請求項４】
前記背面板は、透明又は半透明のプラスチック材で構成されていることを特徴とする請求項１から請求項３の何れか一項に記載の表示パネル。
【請求項５】
前記前面板の裏面側周囲に段縁部を形成すると共に、該段縁部の内側に前記背面板を嵌着したことを特徴とする請求項１から請求項４の何れか一項に記載の表示パネル。
【請求項６】
前記前面板の段縁部の高さは、前記背面板の板厚に対応した高さであることを特徴とする請求項１から請求項５の何れか一項に記載の表示パネル。
【請求項７】
前記前面板と背面板は、固定手段により固定されることを特徴とする請求項１から請求項６の何れか一項に記載の表示パネル。
【請求項８】
前記固定手段は、前記前面板と前記背面板の隅部に貫入する固定ピンであることを特徴とする請求項７に記載の表示パネル。
【考案の詳細な説明】
【技術分野】
【０００１】
本考案は、ポスター、写真、カレンダー、価格表等の表示物を透明又は半透明ボードの間に挟んで表示するための表示パネルに関するものである。
【背景技術】
【０００２】
ポスター、写真等の表示物を飾るための表示パネルは従来から様々なものが知られているが、その多くはパネル周縁部に枠縁が設けられており、表示物によっては、その枠縁が色調、構図等の点で表示物と調和せず、装飾感等を損なうことがある。しかし、従来の表示パネルは、枠縁に設けられた係止具等で背面板を止着する構成になっているものが多いため、枠縁を取り外すことはできないという問題がある。
【０００３】
また、２枚の透明又は半透明のプラスチック板に、表示物を挟んで表示するパネルも従来知られている。その一例として、実用新案登録３１０６５５４号公報には、２枚の透明又は半透明のアクリル樹脂ボードに、それぞれ対角線上の２箇所にマグネットを設け、両ボードの間に表示物を挟んだ状態で両ボードをマグネットで吸着させるようにした表示パネルが提案されている。
【０００４】
【特許文献１】実用新案登録第３１０６５５４号公報
【考案の開示】
【考案が解決しようとする課題】
【０００５】
しかしながら、前記表示ボードは、比較的肉厚の２枚のアクリル樹脂ボードを使用するため、大型パネルになると重量が重くなり、持ち運びが不便になる。しかも、表示パネルを壁面等に吊り下げて使用する場合に、フック等の丈夫な吊下具を、表示ボードと壁面の両方に強固に固定しなければならず、取り付け作業が面倒になるという問題や、吊り下げ場所が制限されるという問題がある。
【０００６】
また、前記表示パネルは両ボードをマグネットで吸着させているため、大型パネルになると強力な吸着力を有する大型マグネットを使用しなければならず、表示パネル全体の体裁が悪くなり、表示物がそのマグネットに隠れたりする問題や、マグネット部分に表示物が被さると、マグネット同士の吸着力が弱くなるため、わずかな衝撃でボードが離脱し、周囲に危険を及ぼすおそれがある等の問題がある。
【０００７】
本考案はこのような問題を解決するために提案されたものであり、軽量で、吊り下げ、持ち運び等に便利であり、構成も簡単で安価に製作できる表示パネルを提供することを目的とする。
また本考案は、全体的に簡素で透明感のある構成とし、表示物が引き立つようにすると共に、表示物を挟持するときの位置合わせが容易な表示パネルを提供することを目的とする。
さらに本考案は、表示物を簡易確実に挟持することができ、安全性の高い表示パネルを提供することを目的とする。
【課題を解決するための手段】
【０００８】
上記課題を解決するための手段は、透明又は半透明の前面板と、背面板の間に表示物を挟持させ、前記前面板を通して前記表示物を透視できるようにした表示パネルにおいて、
前記背面板は、板面と、該板面の補強リブを備えた構造であることを特徴とする。
【０００９】
本考案において表示物とは、ポスター、写真、カレンダー、価格表等、室内外において装飾ないし案内等の目的で表示されるものであり、平面的であると立体的であると問わない。立体的な表示物の場合は、前面板と背面板の対面部に立体表示物を挟持するための凹部が形成されることになる。前記背面板は、１枚の板面の片面又は両面に波型形状、小突起形状、その他任意の形状の補強リブを一体成形や固着手段により多数形成したものでも良い。このような背面板は、従来の単層又は多層構造の厚肉の背面板に比較して軽量である。
【００１０】
本考案によれば、前記背面板は、一対の板面間に、補強リブを介在させた構造であることを特徴とする。この補強リブは、背面板を補強できる形状であれば特に限定されるものではなく、格子状、三角形状、円形状等のリブを介在させることができる。このような構造の背面板は、前述の板面が１枚の場合に比較して曲げ強度、圧縮強度等が強化される。
【００１１】
また本考案は、前記背面板が、一対の板面間に、縦方向に延びる補強リブを、背面板の幅方向に間隔をあけて多数形成したものであることを特徴とする。このようにすれば、背面板の強度が向上すると共に、背面板に補強リブによる縦縞模様が形成され、表示物をセットするときの位置合わせに利用することができる。
【００１２】
また本考案は、前記背面板が、透明又は半透明のプラスチック材で構成されていることを特徴とする。このようにすると、前面板を含めた表示パネルの全体が透明又は半透明となり、全体的な透明感によって、表示物が引き立つことになる。また、表示パネルをライトアップすると、光が表示パネル内部を透過するため、複雑な光の反射を楽しむことができる。
【００１３】
また本考案は、前記前面板の裏面側周囲に段縁部を形成すると共に、該段縁部の内側に前記背面板を嵌着したことを特徴とする。このようにすると、背面板が段縁部によって動きが規制され、表示板と背面板で挟持した表示物が位置ズレしないため、表示物を所定位置に確実に挟持することができる。また段縁部が前面板の裏面側に形成されるため、前面板の表面側は突起物が形成されることなく平坦面となり、簡素な構成となる。さらに、前面板は、段縁部の部分を厚肉に形成するだけであるから、重量が軽量になる。
【００１４】
また本考案は、前記前面板の段縁部の高さが、前記背面板の板厚に対応した高さであることを特徴とする。このようにすると、背面板が前面板の裏面側に埋没した状態になるため、一体感のある表示パネルとなる。
【００１５】
また本考案は、前記前面板と背面板が、固定手段により固定されることを特徴とする。固定手段は、前面板と背面板が離脱しないように固定できるものであれば任意であり、例えば、前面板の段縁部に係止爪、回転爪等を設け、これらによって背面板を止着する手段、クランプ部材等で両板を挟持する手段などがある。本考案の代表的な固定手段は、前記前面板と前記背面板の隅部に貫入する固定ピンであることを特徴とする。このような固定手段は、前面板と背面板に小孔を穿孔するだけで両板を簡単かつ強固に固定することができる。
【考案の効果】
【００１６】
本考案の表示パネルによれば、軽量で、吊り下げ、持ち運び等に便利であり、構成も簡単で安価に製作できる。また本考案は、全体的に簡素で透明感のある構成であるため、表示物が引き立つようになり、表示物を挟持するときの位置合わせも容易となる。
さらに本考案は、表示物を簡易確実に挟持することができ、安全性の高い等の効果が得られる。
【考案を実施するための最良の形態】
【００１７】
以下本考案の実施形態を添付図面に従って説明する。図１は、本考案の表示パネルの組立分解図であり、前面板１と、その裏面側にポスター等の表示物５を挟んで嵌着される背面板２を有している。前面板１はアクリル等の透明又は半透明のプラスチック材で造られており、図２乃至図４に示すように正面形状が長方形で、表面が平坦面になっている。
【００１８】
また、前面板１の裏面側の周囲には凸状の段縁部３が一体的に形成されている。この段縁部３の高さｈ（図３参照）は、背面板２の全体の板厚ｗ（図６参照）とほぼ同等であり、コーナー部は面取りが施されている。なお、前面板１の段縁部３を除いた四隅部には固定ピン挿入孔４が穿孔されている。
【００１９】
前記背面板２は、透明又は半透明のポリカーボネイト、ポリプロピレン等のプラスチック材で造られており、図５及び図６に示すように、正面形状が長方形で、前記前面板１の裏面側段縁部３で囲われた部分の内側に嵌着できる表面積を有している。
【００２０】
この背面板２は、図６に示すように上下一対の面板６,７の間に、背面板２の縦方向に延びる帯板状の補強リブ８を、背面板２の幅方向に多数介在させたものである。ここでは、肉薄のプラスチック材で、面板６，７と補強リブ８が一体成形されており、面板６，７の間に多数の隔室９が形成された構成になっている。これによって、背面板２の面板６，７に、補強リブ８の上下端縁部が透過し、縦縞模様１０となって表われる。なお、図５に示すように、背面板２の四隅部にも固定ピン挿入孔１１が穿孔されている。
【００２１】
前記前面板１と背面板２は、図１に示すように固定ピン１２と止着部材１３によって固定される。ここでは固定ピン１２はネジピンであり、止着部材１３はナットである。なお、図面には示していないが、必要に応じて背面板２又は前面板１の段縁部３等に吊り下げ具を固定又は着脱可能に設けることができる。
【００２２】
上述の表示パネルは以下のように使用される。まず、前面板１から背面板２を取り外した状態で、両板１，２の間に表示物５を差し込む。このとき背面板２に設けられた補強リブ８による縦縞模様１０を利用して表示物５の位置合わせを行うことができる。次に背面板２を前面板１の段縁部３で囲われた内側に装着した後、固定ピン１２を各板の固定ピン挿入孔４，１１に貫通し、止着部材１３で止着することにより、前面板１と背面板２を固定する。
【００２３】
このような表示パネルは、前面板１の表面側を通して表示物１の装飾等を透視することができる。また、表示物５が背面板２よりも小さい場合は、表示物１の周囲に背面板２の縦縞模様１０が露呈し、それが背景となって表示物１を引き立たせることができる。なお、その縦縞模様１０が表示物５にふさわしくない場合は、表示物５と背面板２の間に適当な背板を挟むこともできる。
【００２４】
上述した実施形態は、本考案の一例を示したものであり、本考案の本旨を逸脱しない範囲で、前面板１、背面板２の大きさ、形状等は任意に変更することができる。
【図面の簡単な説明】
【００２５】
【図１】本考案の表示パネルの組立分解図である。
【図２】本考案の表示パネルの前面板の正面図である。
【図３】同じく前面板のＡ−Ａ断面図である。
【図４】同じく前面板のＢ−Ｂ断面図である。
【図５】本考案の表示パネルの背面板の正面図である。
【図６】同じく背面板の一部分を示す斜視図である。
【符号の説明】
【００２６】
１は前面板
２は背面板
３は段縁部
４は固定ピン挿入孔
５は表示物
６，７は面板
８は補強リブ
９は隔室
１０は縦縞模様
１１は固定ピン挿入孔
１２は固定ピン
１３は止着部材
【図１】
0003118474.tif 000003
【図２】
0003118474.tif 000004
【図３】
0003118474.tif 000005
【図４】
0003118474.tif 000006
【図５】
0003118474.tif 000007
【図６】
0003118474.tif 000008